(57)【要約】【課題】  ギターに取り付けられるトレモロユニット用のスタッドを提供する。【解決手段】  スタッド１は、ギター２の複数の弦２４に接続されるブリッジ部３１と、ブリッジ部３１に接続されるスプリング部３３と、ブリッジ部３１から突出したナイフエッジ部３４と、を有するトレモロユニット用のスタッド１であって、ギター２のボディ２１の表面板２１ａから突出した支持部１２ｂと、一端が支持部１２ｂと接続され、表面板２１ａから裏面板２１ｂに向けて形成された貫通孔２１ｅに挿入された挿入部１２ａ、１３ａと、挿入部１２ａ、１３ａの他端と接続され、裏面板２１ｂから突出した係止部１３ｂと、を備え、支持部１２ｂは、ナイフエッジ部３４が支持部１２ｂに沿って摺動した際に、表面板１１ａから引き抜かれるような力を受ける形状を有しており、係止部１３ｂは、貫通孔２１ｅよりも大きな面積を有している。【選択図】図２
2017161713.tif 000002
【特許請求の範囲】
【請求項１】
ギターの複数の弦に接続されるブリッジ部と、前記ブリッジ部に接続されるスプリング部と、前記ブリッジ部から突出したナイフエッジ部と、を有するトレモロユニット用のスタッドであって、
前記ギターのボディの表面板から突出した支持部と、
一端が前記支持部と接続され、前記ボディの表面板から裏面板に向けて形成された貫通孔に挿入された挿入部と、
前記挿入部の他端と接続され、前記ボディの裏面板から突出した係止部と、
を備え、
前記支持部は、前記ナイフエッジ部が前記支持部に沿って摺動した際に、前記表面板から引き抜かれるような力を受ける形状を有しており、
前記係止部は、前記貫通孔よりも大きな面積を有していることを特徴とするスタッド。
【請求項２】
前記支持部と前記表面板の間、及び、前記係止部と前記裏面板の間の少なくとも一方に挿入されたブロック部を更に備えたことを特徴とする請求項１に記載のスタッド。
【請求項３】
前記挿入部は、少なくとも一対の挿入部を備えており、
前記ブロック部には、前記一対の挿入部がそれぞれ挿通される少なくとも一対の挿通孔が形成されており、
前記一対の貫通孔の外縁間の最遠距離は、前記弦の配列方向における前記貫通孔の両端間の距離と一致することを特徴とする請求項２に記載のスタッド。
【請求項４】
前記表面板と前記裏面板の少なくとも一方には、前記ブロック部が嵌合可能な嵌合穴が形成されていることを特徴とする請求項２又は３に記載のスタッド。
【発明の詳細な説明】
【技術分野】
【０００１】
本発明は、ギターに取り付けられるトレモロユニット用のスタッドに関する。
【背景技術】
【０００２】
従来より、ギターから出力される音を揺らすための装置として、ギターの弦に接続されるブリッジ部と、ブリッジ部に接続されるスプリング部と、ブリッジ部から突出したナイフエッジ部と、を備え、ナイフエッジ部をギターのボディにネジ止めや圧入されたスタッドに当接させることにより、弦にテンションを付与するトレモロユニットが知られている。
【０００３】
このようなトレモロユニットでは、スプリング部が弾性力を有していることにより、ブリッジ部を移動させることができ、これにより弦のテンションを変化させることが可能である。詳細には、ナイフエッジ部をスタッドに沿って摺動させることでブリッジ部が移動し、これにより、弦のテンションが変化し、ギターから出力される音を揺らすことが可能となる（例えば、特許文献１参照）。
【先行技術文献】
【特許文献】
【０００４】
【特許文献１】特開２０００−２００６７号公報
【発明の概要】
【発明が解決しようとする課題】
【０００５】
しかしながら、上記技術では、スタッドはギターのボディにネジ止めや圧入されているだけであるため、ナイフエッジ部の摺動により、スタッドの固定が緩んでしまったり、最悪の場合には、スタッドが抜けてしまうという問題が生じていた。
【０００６】
そこで、本発明は、ナイフエッジ部の摺動によっても固定が緩むことのないトレモロユニット用のスタッドを提供することを目的としている。
【課題を解決するための手段】
【０００７】
本発明は、ギターの複数の弦に接続されるブリッジ部と、前記ブリッジ部に接続されるスプリング部と、前記ブリッジ部から突出したナイフエッジ部と、を有するトレモロユニット用のスタッドであって、前記ギターのボディの表面板から突出した支持部と、一端が前記支持部と接続され、前記ボディの表面板から裏面板に向けて形成された貫通孔に挿入された挿入部と、前記挿入部の他端と接続され、前記ボディの裏面板から突出した係止部と、を備え、前記支持部は、前記ナイフエッジ部が前記支持部に沿って摺動した際に、前記表面板から引き抜かれるような力を受ける形状を有しており、前記係止部は、前記貫通孔よりも大きな面積を有していることを特徴とするスタッドを提供している。
【０００８】
このような構成によれば、支持部が表面板から引き抜かれるような力を受けた場合であっても、係止部の働きにより、スタッドがボディから抜けてしまうことや固定が緩むことが防止されている。
【０００９】
また、前記支持部と前記表面板の間、及び、前記係止部と前記裏面板の間の少なくとも一方に挿入されたブロック部を更に備えたことが好ましい。
【００１０】
このような構成によれば、スタッドは、ブロック部と係止部でボディを挟むようにして固定されるので、木材の膨張・収縮による影響が少なく、スタッドの安定した固定が確保される。また、支持部と表面板との間にブロック部が挿入されているため、ボディとスタッドとの間の接地面積が多くなり、力が分散される。このことによっても、ボディが割れてしまうことも抑制されている。更に、スタッドは、ブロック部と係止部でボディを挟むようにして固定されるので、ボディとの密着度が高まり、音質の向上が期待できる。
【００１１】
また、前記挿入部は、少なくとも一対の挿入部を備えており、前記ブロック部には、前記一対の挿入部がそれぞれ挿通される少なくとも一対の挿通孔が形成されており、前記一対の貫通孔の外縁間の最遠距離は、前記弦の配列方向における前記貫通孔の両端間の距離と一致することが好ましい。
【００１２】
このような構成によれば、一対の挿通孔の外縁間の最遠距離に対応した一の貫通孔を形成するだけでよく、一対の挿通孔のために個別に貫通孔を形成する必要がないので、ボディにスタッド用の貫通孔を形成する際の位置ずれが抑制される。
【００１３】
また、前記表面板と前記裏面板の少なくとも一方には、前記ブロック部が嵌合可能な嵌合穴が形成されていることが好ましい。
【００１４】
このような構成によれば、ブロック部の表面板（または、裏面板）からの突出量を少なくすることができるので、ギターの美観や使い勝手が損なわれることが抑制される。また、ボディとブロック部との間の接地面積が更に多くなるため、音質の向上が更に期待できる。
【発明の効果】
【００１５】
本発明のトレモロユニット用のスタッドによれば、ナイフエッジ部の摺動によって固定が緩むことが防止される。
【図面の簡単な説明】
【００１６】
【図１】本発明の実施の形態によるギターの平面図
【図２】本発明の実施の形態によるギターのボディの断面図
【図３】本発明の実施の形態によるスタッドの取り付けの説明図
【図４】本発明の実施の形態によるブロック部の平面図
【図５】本発明の実施の形態による表側部材の側面図
【図６】本発明の実施の形態による裏側部材の側面図
【図７】本発明の変形例によるブロック部を説明するための断面図
【図８】本発明の変形例によるブロック部を説明するための斜視図
【発明を実施するための形態】
【００１７】
以下、本発明の実施の形態によるトレモロユニット用のスタッド１について、図１〜図６を参照して説明する。
【００１８】
図１に示すように、スタッド１は、ギター２に設けられるもので、ギター２に取り付けられたトレモロユニット３を支持するためのものである。
【００１９】
まず、ギター２の構造について説明する。
【００２０】
図１に示すように、ギター２は、ボディ２１と、ネック２２と、ヘッド２３と、複数の弦２４と、を備えている。
【００２１】
図２に示すように、ボディ２１は、表面板２１ａと、裏面板２１ｂと、を備えている。
【００２２】
また、ボディ２１には、トレモロユニット３を収容するための空洞２１ｃ及び２１ｄが形成されている。空洞２１ｃは、表面板２１ａから裏面板２１ｂ側に向けて形成され、空洞２１ｄは、空洞２１ｃの下部からネック２２側に向けて形成されている。
【００２３】
また、空洞２１ｃ及び２１ｄよりもネック２２側には、スタッド１を取り付けるための貫通孔２１ｅ（図３参照）が形成されている。貫通孔２１ｅの詳細については後述する。
【００２４】
ネック２２は、ボディ２１から延出し、その先端には、ヘッド２３が設けられている。
【００２５】
複数の弦２４は、ヘッド２３と、空洞２１ｃに収容されたトレモロユニット３と、の間に張架される。
【００２６】
なお、以下では、複数の弦２４の配列方向を幅方向Ｘ、表面板２１ａから裏面板２１ｂへ向かう方向を厚み方向Ｙ、と称する。
【００２７】
続いて、トレモロユニット３の構造について説明する。
【００２８】
トレモロユニット３は、いわゆるシンクロナイズド・トレモロユニットであり、図２に示すように、ブリッジ部３１と、連結部３２と、スプリング部３３と、ナイフエッジ部３４と、アーム部３５と、を備えている。
【００２９】
ブリッジ部３１は、略平板形状を有しており、表面板２１ａと略水平となるように、表面板２１ａから僅かに浮いた状態、又は、表面板２１ａに密着した状態で配置される。上記した複数の弦２４は、ヘッド２３と、ブリッジ部３１と、の間に張架される。
【００３０】
連結部３２は、空洞２１ｃ内に収容されており、ブリッジ部３１の下面と連結されている。
【００３１】
スプリング部３３は、空洞２１ｄ内に収容されており、空洞２１ｄのネック２２側端部と、連結部３２の下部と、の間に張架されている。
【００３２】
ナイフエッジ部３４は、ブリッジ部３１からネック２２側に突出している。ナイフエッジ部３４を後述するスタッド１に当接させることで、スプリング部３３の張力と釣り合いがとれた状態で弦２４にテンションが付与されることとなる。
【００３３】
アーム部３５は、ブリッジ部３１から延出している。アーム部３５を表面板２１ａに近づける（または、遠ざける）ことにより、ブリッジ部３１を傾けることができる。これにより、弦２４のテンションが変化し、ギター２から出力される音を揺らすことが可能となる。
【００３４】
続いて、スタッド１について説明する。本実施の形態では、一対のスタッド１が用いられるものとする。
【００３５】
各スタッド１は、貫通孔２１ｅに挿通された上でボディ２１に固定されるものであり、図２及び図３に示すように、ブロック部１１と、表側部材１２と、裏側部材１３と、を備えている。なお、本実施の形態では、貫通孔２１ｅは、幅方向Ｘに延び、かつ、ボディ２１を表面板２１ａから裏面板２１ｂまで貫通している。
【００３６】
ブロック部１１は、貫通孔２１ｅ上に配置されるものであって、貫通孔２１ｅ内に落ち込まないように、貫通孔２１ｅよりも大きめのサイズに形成されている。
【００３７】
ブロック部１１の幅方向Ｘにおける両端部には、図４に示すように、一対の挿通孔１１ａがそれぞれ形成されており、一対の挿通孔１１ａの内周には、ネジが切られている。一対の挿通孔１１ａの外縁間の最遠距離は、貫通孔２１ｅの幅方向Ｘにおける両端間の距離と略一致する。
【００３８】
表側部材１２は、第１挿入部１２ａと、支持部１２ｂと、を備えている。
【００３９】
第１挿入部１２ａは、円筒形状を有しており、その外周面には、ブロック部１１に形成された挿通孔１１ａと嵌合可能なネジが切られている。
【００４０】
第１挿入部１２ａは、回転させることにより挿通孔１１ａの下部から突出し、この突出した部分が、表面板２１ａ側から貫通孔２１ｅ内に挿入される。
【００４１】
また、第１挿入部１２ａは、その内周面にもネジが切られている。
【００４２】
支持部１２ｂは、トレモロユニット３のナイフエッジ部３４が当接する部分であり、厚み方向Ｙにおける中間部分が凹んだ形状を有している。
【００４３】
裏側部材１３は、第２挿入部１３ａと、係止部１３ｂと、を備えている。
【００４４】
第２挿入部１３ａは、円筒形状を有しており、その外周面には、第１挿入部１２ａの内周面に形成されたネジと嵌合可能なネジが切られている。
【００４５】
係止部１３ｂは、第２挿入部１３ａの下端に設けられており、貫通孔２１ｅよりも大きな直径を有している。
【００４６】
このような構成により、第２挿入部１３ａを回転させていくことにより、第２挿入部１３ａが第１挿入部１２ａ内に挿入されていき、ブロック部１１と係止部１３ｂの間の距離がボディ２１の厚みと一致した時に、スタッド１は、ボディ２１に固定されることとなる。
【００４７】
ここで、ギター２から出力される音を揺らすためには、アーム部３５を表面板２１ａに近づけてナイフエッジ部３４を支持部１２ｂの形状に沿って摺動させるが、支持部１２ｂは、凹形状を有しているため、表面板２１ａから引き抜かれるような力を受けることとなる。
【００４８】
しかしながら、本実施の形態によるスタッド１は、ボディ２１を貫通しており、裏面板２１ｂ側には、貫通孔２１ｅよりも大きな面積を有する係止部１３ｂが設けられている。
【００４９】
このような構成により、支持部１２ｂが表面板２１ａから引き抜かれるような力を受けた場合であっても、係止部１３ｂの働きにより、スタッド１がボディ２１から抜けてしまうことや固定が緩むことが防止されている。
【００５０】
また、木材から構成されたボディ２１は、温度や湿度に応じて膨張・収縮する。そのため、従来のネジ止めするタイプのスタッドでは、木材の膨張・収縮に伴い、スタッドの固定の緩みや、スタッド部分での木材の割れが生じていた。しかしながら、本実施の形態では、スタッド１は、ブロック部１１と係止部１３ｂでボディ２１を挟むようにして固定されるので、木材の膨張・収縮による影響が少なく、スタッド１の安定した固定が確保される。
【００５１】
また、本実施の形態によるスタッド１では、支持部１２ｂと表面板２１ａとの間にブロック部１１が挿入されているため、ボディ２１とスタッド１との間の接地面積が多くなり、力が分散される。このことによっても、ボディ２１が割れてしまうことも抑制されている。
【００５２】
更に、スタッド１は、ブロック部１１と係止部１３ｂでボディ２１を挟むようにして固定されるので、ボディ２１との密着度が高まり、音質の向上が期待できる。
【００５３】
また、本実施の形態では、ブロック部１１に形成された一対の挿通孔１１ａの外縁間の最遠距離は、貫通孔２１ｅの幅方向Ｘにおける両端間の距離と略一致する。このような構成によれば、一対の挿通孔１１ａの外縁間の最遠距離に対応した一の貫通孔２１ｅを形成するだけでよく、一対の挿通孔１１ａのために個別に貫通孔を形成する必要がないので、ボディ２１にスタッド１用の貫通孔を形成する際の位置ずれが抑制される。
【００５４】
尚、本発明のスタッド１は、上述した実施の形態に限定されず、特許請求の範囲に記載した範囲で種々の変形や改良が可能である。
【００５５】
例えば、上記実施の形態では、表面板２１ａ側にのみブロックを設けたが、裏面板側２１ｂにも設けてもよい。
【００５６】
また、上記実施の形態では、支持部１２ｂは、厚み方向Ｙにおける中間部分が凹んだ形状を有していたが、少なくとも、アーム部３５の操作により、スタッド１が表面板２１ａから引き抜かれるような形状を有していればよい。
【００５７】
また、上記実施の形態では、第１挿入部１２ａと第２挿入部１３ａは、ネジにより嵌合されたが、その他の方法によって嵌合されてもよい。また、第１挿入部１２ａと第２挿入部１３ａは、少なくとも、いずれか一方があればよい。例えば、第１挿入部１２ａのみが存在し、係止部１３ｂにネジ孔を形成して両者を嵌合するような構成であってもよい。
【００５８】
また、本発明の“挿入部”と“係止部”をアンカーとして設け、その上に“支持部”を取り付けたような、“挿入部”及び“係止部”と、“支持部”と、が別体であるものも本発明のスタッドに含まれる。
【００５９】
また、上記実施の形態では、一対のスタッド１を採用したが、単一のスタッド１が採用されてもよく、また、３以上のスタッドが採用されてもよい。
【００６０】
また、上記実施の形態では、ブリッジ部３１と連結部３２を別の部材として説明したが、一体の部材であってもよい。
【００６１】
また、上記実施の形態では、スタッド１は、シンクロナイズド・トレモロユニットに対して用いられたが、シンクロナイズド・トレモロユニットには限定されず、スプリング部の弾性力を用いてナイフエッジ部をスタッドに沿って摺動させるタイプのトレモロユニットに対して用いることができる。
【００６２】
また、上記実施の形態では、ブロック部１１は、貫通孔２１ｅ内に落ち込まないように、表面板２１ａに形成された貫通孔２１ｅ上に配置されたが、図７及び図８に示すように、表面板２１ａ上に嵌合穴２１ｆを形成し、嵌合穴２１ｆにブロック部１１を嵌めこむ構成であってもよい。このような構成によれば、ブロック部１１の表面板２１ａ（または、裏面板２１ｂ）からの突出量を少なくすることができるので、ギター２の美観や使い勝手が損なわれることが抑制される。また、ボディ２１とブロック部１１との間の接地面積が更に多くなるため、音質の向上が更に期待できる。
【符号の説明】
【００６３】
１          スタッド
２          ギター
３          トレモロユニット
１１      ブロック部
１１ａ  挿通孔
１２      表側部材
１２ａ  第１挿入部
１２ｂ  支持部
１３      裏側部材
１３ａ  第２挿入部
１３ｂ  係止部
２１      ボディ
２１ａ  表面板
２１ｂ  裏面板
２１ｃ  空洞
２１ｄ  空洞
２１ｅ  貫通孔
２２      ネック
２３      ヘッド
２４      弦
３１      ブリッジ部
３２      連結部
３３      スプリング部
３４      ナイフエッジ部
３５      アーム部
【図１】
2017161713.tif 000003
【図２】
2017161713.tif 000004
【図３】
2017161713.tif 000005
【図４】
2017161713.tif 000006
【図５】
2017161713.tif 000007
【図６】
2017161713.tif 000008
【図７】
2017161713.tif 000009
【図８】
2017161713.tif 000010